(57)【要約】      （修正有）【課題】第１の取引が行われて、貨幣処理装置に投入された貨幣が全て一時保留部に送られた時に、操作者が入金確定の指令を入力し忘れて帰ってしまった場合、貨幣処理装置は、入金状態で占有状態が継続して他の利用者が入金できない状態となるのを防止して、別の操作者がそれを知らずに入金動作を開示しても、当該貨幣が前の操作者の追加入金扱いになって結果的に違算が発生することを防止する。【解決手段】貨幣処理装置（例えば、貨幣入金機）に設けられた制御部は、第１の取引に係る占有状態開始指令を受け付けた後、第１の取引に係る占有状態終了指令（入金確定指令等）を受け付けることなく第２の取引に係る占有状態開始指令を受け付けた場合、一時保留部に入金されている貨幣を収納部へ移動する等により第１の取引に係る占有状態を強制的に終了して、第２の取引を開始することができるように構成する。【選択図】図９
2016081085.tif 000002
【特許請求の範囲】
【請求項１】
少なくとも貨幣の入金処理を行う貨幣処理装置であって、
前記貨幣処理装置の筐体の外部から内部に貨幣を投入するための投入部と、
前記投入部により前記筐体の内部に投入された貨幣を搬送する搬送部と、
前記搬送部に接続され、前記投入部により前記筐体の内部に投入された貨幣を一時的に保留する一時保留部と、
前記一時保留部から送られた貨幣を収納する収納部と、
ある取引に係る占有状態開始指令を受け付けると、この取引に係る占有状態を開始させ、この取引に係る占有状態では前記投入部により前記筐体の内部に投入された貨幣を前記一時保留部で一時的に保留し、また、ある取引に係る占有状態が続いているときにこの取引に係る占有状態終了指令を受け付けると、この取引に係る占有状態を終了させるとともに前記一時保留部で一時的に保留された貨幣を前記収納部に送るよう前記一時保留部の制御を行う制御部と、
を備え、
前記制御部は、第１の取引に係る占有状態開始指令を受け付けた後、第１の取引に係る占有状態終了指令を受け付けることなく第２の取引に係る占有状態開始指令を受け付けると、第１の取引に係る占有状態を強制的に終了することができるようになっている、貨幣処理装置。
【請求項２】
前記制御部は、第１の取引に係る占有状態開始指令を受け付けた後、第１の取引に係る占有状態終了指令を受け付けることなく第２の取引に係る占有状態開始指令を受け付けると、特定の権限に係る確定指令を受け付けたときに第１の取引に係る占有状態を強制的に終了させるとともに前記一時保留部で一時的に保留された貨幣を前記収納部に送るよう制御を行う、請求項１記載の貨幣処理装置。
【請求項３】
前記制御部は、第１の取引に係る占有状態開始指令を受け付けた後において、第２の取引に係る占有状態開始指令を受け付けた後に第１の取引に係る占有状態開始指令を受け付けると、第１の取引に係る占有状態を引き続き行うよう制御を行う、請求項１または２記載の貨幣処理装置。
【請求項４】
前記制御部は、第１の取引に係る占有状態開始指令を受け付けた後、第１の取引に係る占有状態終了指令を受け付けることなく第２の取引に係る占有状態開始指令を受け付けると、第１の取引に係る占有状態を強制的に終了させるとともに前記一時保留部で一時的に保留された貨幣を前記収納部に送るよう制御を行う、請求項１記載の貨幣処理装置。
【請求項５】
前記制御部は、第１の取引に係る占有状態が強制的に終了した後、第２の取引に係る占有状態開始指令を再び受け付けたときに第２の取引に係る占有状態を開始させるよう制御を行う、請求項４記載の貨幣処理装置。
【請求項６】
前記制御部は、第１の取引に係る占有状態が強制的に終了した後、第２の取引に係る占有状態を自動的に開始させるよう制御を行う、請求項４記載の貨幣処理装置。
【請求項７】
前記制御部は、第２の取引に係る占有状態開始指令を受け付けた後に前記投入部に投入された貨幣を、前記筐体の外部に貨幣を返却するための返却部に送るよう制御を行う、請求項２または３記載の貨幣処理装置。
【請求項８】
前記制御部は、第２の取引に係る占有状態開始指令を受け付けた後において第１の取引に係る占有状態が強制的に終了する前に前記投入部に投入された貨幣を前記筐体の内部に送らないよう前記投入部の制御を行う、請求項１乃至６のいずれか一項に記載の貨幣処理装置。
【請求項９】
持ち運び可能な記録媒体に記録された情報の読み取りを行う読取部を更に備え、
前記記録媒体に記録された情報が前記読取部により読み取られたときに前記制御部は当該記録媒体に関する取引に係る占有状態開始指令を受け付けるようになっている、請求項１乃至８のいずれか一項に記載の貨幣処理装置。
【請求項１０】
前記制御部に指令を入力するための操作手段を更に備え、
前記投入部に投入された貨幣が前記一時保留部に送られた後に前記操作手段によって前記制御部に入金確定の指令が入力されると当該制御部は占有状態終了指令を受け付けるようになっている、請求項１乃至９のいずれか一項に記載の貨幣処理装置。
【請求項１１】
入金処理の結果に係る情報を印字する印字部を更に備え、
前記制御部は、第１の取引に係る占有状態が強制的に終了した後に改めて第１の取引に係る占有状態開始指令を受け付けると、第１の取引に関する入金処理の結果に係る情報を印字させるよう前記印字部の制御を行う、請求項１乃至１０のいずれか一項に記載の貨幣処理装置。
【請求項１２】
前記投入部により前記筐体の内部に投入された貨幣を識別する識別部を更に備え、
前記制御部は、前記識別部により正常な貨幣であると識別された貨幣を前記一時保留部に送るとともに、前記識別部により正常な貨幣ではないと識別された貨幣を、前記筐体の外部に貨幣を返却するための返却部に送るよう制御を行う、請求項１乃至１１のいずれか一項に記載の貨幣処理装置。
【請求項１３】
少なくとも貨幣の入金処理を行う貨幣処理装置による貨幣処理方法であって、
ある取引に係る占有状態開始指令を前記貨幣処理装置の制御部が受け付けると、当該制御部はこの取引に係る占有状態を開始させ、この取引に係る占有状態では投入部により筐体の内部に投入された貨幣を一時保留部で一時的に保留する工程と、
ある取引に係る占有状態が続いているときに前記制御部がこの取引に係る占有状態終了指令を受け付けると、当該制御部はこの取引に係る占有状態を終了させるとともに前記一時保留部で一時的に保留された貨幣を収納部に送る工程と、
を備え、
前記制御部は、第１の取引に係る占有状態開始指令を受け付けた後、第１の取引に係る占有状態終了指令を受け付けることなく第２の取引に係る占有状態開始指令を受け付けると、第１の取引に係る占有状態を強制的に終了することができるようになっている、貨幣処理方法。
【請求項１４】
前記制御部は、第１の取引に係る占有状態開始指令を受け付けた後、第１の取引に係る占有状態終了指令を受け付けることなく第２の取引に係る占有状態開始指令を受け付けると、特定の権限に係る確定指令を受け付けたときに第１の取引に係る占有状態を強制的に終了させるとともに前記一時保留部で一時的に保留された貨幣を前記収納部に送るよう制御を行う、請求項１３記載の貨幣処理方法。
【請求項１５】
前記制御部は、第１の取引に係る占有状態開始指令を受け付けた後において、第２の取引に係る占有状態開始指令を受け付けた後に改めて第１の取引に係る占有状態開始指令を受け付けると、第１の取引に係る占有状態を引き続き行うよう制御を行う、請求項１３または１４記載の貨幣処理方法。
【請求項１６】
前記制御部は、第１の取引に係る占有状態開始指令を受け付けた後、第１の取引に係る占有状態終了指令を受け付けることなく第２の取引に係る占有状態開始指令を受け付けると、第１の取引に係る占有状態を強制的に終了させるとともに前記一時保留部で一時的に保留された貨幣を前記収納部に送るよう制御を行う、請求項１３記載の貨幣処理方法。
【請求項１７】
前記制御部は、第１の取引に係る占有状態が強制的に終了した後、第２の取引に係る占有状態開始指令を再び受け付けたときに第２の取引に係る占有状態を開始させるよう制御を行う、請求項１６記載の貨幣処理方法。
【請求項１８】
前記制御部は、第１の取引に係る占有状態が強制的に終了した後、第２の取引に係る占有状態を自動的に開始させるよう制御を行う、請求項１６記載の貨幣処理方法。
【発明の詳細な説明】
【技術分野】
【０００１】
本発明は、少なくとも貨幣の入金処理を行う貨幣処理装置、およびこのような貨幣処理装置による貨幣処理方法に関する。
【背景技術】
【０００２】
スーパーマーケットやショッピングモール等の商業施設において、売上金としての貨幣の入金処理を行う貨幣処理装置が例えば出納室に設置されている。このような貨幣処理装置が設置されている商業施設では、営業時間が終了した後に、レジカウンターに設けられた各貨幣釣銭機から回収された貨幣や、ショッピングモールの各テナントから回収された貨幣を貨幣処理装置に入金することにより、商業施設の店員等が売上金としての貨幣を銀行等の金融機関に持ち運ぶ必要がなくなるため防盗性を高めることができる。貨幣処理装置に入金された売上金としての貨幣は警送会社の警備員等によって当該貨幣処理装置の筐体内から収納カセットごと回収され、当該警送会社の管理本部に運搬された後、警送会社により売上金としての貨幣がまとめて銀行等の金融機関に入金されるようになる。
【０００３】
このような貨幣処理装置としては、例えば特許文献１等に開示されるものが知られている。特許文献１に開示される貨幣処理装置において、レジカウンターに設けられた各貨幣釣銭機から回収された貨幣や、ショッピングモールの各テナントから回収された貨幣の入金処理を行うにあたり、操作者はまず自己が携帯するＩＤカードのＩＤ情報をカードリーダにより読み取らせる。ここで、貨幣処理装置の記憶部には、ＩＤカードのＩＤ情報と取引先識別情報（具体的には、店舗のレジやテナントの識別情報）とが１対１で関連付けられて記憶されているため、ＩＤカードのＩＤ情報が読み取られると、このＩＤ情報に関連付けられた取引先識別情報が特定される。そして、貨幣処理装置において当該操作者により入金処理が行われると、入金処理の結果に係る情報（具体的には、入金された貨幣の金種毎の枚数や合計金額に係る情報）が取引先識別情報に関連付けられて管理されるようになる。
【先行技術文献】
【特許文献】
【０００４】
【特許文献１】特開２０１０−２２４６０９号公報
【発明の概要】
【発明が解決しようとする課題】
【０００５】
特許文献１等に開示される従来の貨幣処理装置では、操作者により貨幣処理装置の筐体内に投入された貨幣は、識別部により識別された後、一時保留部で一時的に保留されるようになる。そして、貨幣処理装置の筐体内に投入された貨幣が全て一時保留部に送られた後、操作者によって入金確定の指令がタッチパネル等の操作部により入力されると、一時保留部に一時的に保留された貨幣が収納カセットに送られ、この収納カセットに収納されるようになる。このように、従来の貨幣処理装置では、ある操作者がＩＤカードのＩＤ情報をカードリーダにより読み取らせると、この操作者に係る取引の占有状態が開始し、一方、貨幣処理装置の筐体内に投入された貨幣が全て一時保留部に送られた後に操作者によって入金確定の指令が入力されるとこの操作者に係る取引の占有状態が終了する。
【０００６】
しかしながら、このような従来の貨幣処理装置において、貨幣処理装置の筐体内に投入された貨幣が全て一時保留部に送られたときに操作者が入金確定の指令を入力し忘れて帰ってしまった場合には、当該操作者は貨幣処理装置から離れているにもかかわらず当該貨幣処理装置においてこの操作者の占有状態が継続されてしまう。この場合、別の操作者がＩＤカードのＩＤ情報をカードリーダにより読み取らせると、前の操作者の占有状態が継続していることにより貨幣処理装置から警告音が発せられるが、この警告音に気づかずに貨幣処理装置の投入部に貨幣を投入してしまった場合には当該貨幣は前の操作者の追加入金として取り扱われるようになってしまう。このときには貨幣処理装置において違算が発生してしまうという問題があった。
【０００７】
本発明は、このような点を考慮してなされたものであり、第１の取引に係る占有状態終了指令を受け付けなくてもこの第１の取引に係る占有状態を強制的に終了させることができるため、第１の取引に係る占有状態が強制的に終了した後では第２の取引に係る入金貨幣が第１の取引の追加入金として取り扱われることがなく、よって違算が発生することを防止することができる貨幣処理装置および貨幣処理方法を提供することを目的とする。
【課題を解決するための手段】
【０００８】
本発明の貨幣処理装置は、少なくとも貨幣の入金処理を行う貨幣処理装置であって、前記貨幣処理装置の筐体の外部から内部に貨幣を投入するための投入部と、前記投入部により前記筐体の内部に投入された貨幣を搬送する搬送部と、前記搬送部に接続され、前記投入部により前記筐体の内部に投入された貨幣を一時的に保留する一時保留部と、前記一時保留部から送られた貨幣を収納する収納部と、ある取引に係る占有状態開始指令を受け付けると、この取引に係る占有状態を開始させ、この取引に係る占有状態では前記投入部により前記筐体の内部に投入された貨幣を前記一時保留部で一時的に保留し、また、ある取引に係る占有状態が続いているときにこの取引に係る占有状態終了指令を受け付けると、この取引に係る占有状態を終了させるとともに前記一時保留部で一時的に保留された貨幣を前記収納部に送るよう前記一時保留部の制御を行う制御部と、を備え、前記制御部は、第１の取引に係る占有状態開始指令を受け付けた後、第１の取引に係る占有状態終了指令を受け付けることなく第２の取引に係る占有状態開始指令を受け付けると、第１の取引に係る占有状態を強制的に終了することができるようになっていることを特徴とする。
【０００９】
このような貨幣処理装置によれば、制御部は、第１の取引に係る占有状態開始指令を受け付けた後、第１の取引に係る占有状態終了指令を受け付けることなく第２の取引に係る占有状態開始指令を受け付けると、第１の取引に係る占有状態を強制的に終了することができるため、第１の取引に係る占有状態が強制的に終了した後では第２の取引に係る入金貨幣が第１の取引の追加入金として取り扱われることがなく、よって違算が発生することを防止することができる。
【００１０】
本発明の貨幣処理装置においては、前記制御部は、第１の取引に係る占有状態開始指令を受け付けた後、第１の取引に係る占有状態終了指令を受け付けることなく第２の取引に係る占有状態開始指令を受け付けると、特定の権限に係る確定指令を受け付けたときに第１の取引に係る占有状態を強制的に終了させるとともに前記一時保留部で一時的に保留された貨幣を前記収納部に送るよう制御を行うようになっていてもよい。
【００１１】
本発明の貨幣処理装置においては、前記制御部は、第１の取引に係る占有状態開始指令を受け付けた後において、第２の取引に係る占有状態開始指令を受け付けた後に第１の取引に係る占有状態開始指令を受け付けると、第１の取引に係る占有状態を引き続き行うよう制御を行うようになっていてもよい。
【００１２】
また、前記制御部は、第１の取引に係る占有状態開始指令を受け付けた後、第１の取引に係る占有状態終了指令を受け付けることなく第２の取引に係る占有状態開始指令を受け付けると、第１の取引に係る占有状態を強制的に終了させるとともに前記一時保留部で一時的に保留された貨幣を前記収納部に送るよう制御を行うようになっていてもよい。
【００１３】
この場合、前記制御部は、第１の取引に係る占有状態が強制的に終了した後、第２の取引に係る占有状態開始指令を再び受け付けたときに第２の取引に係る占有状態を開始させるよう制御を行うようになっていてもよい。
【００１４】
あるいは、前記制御部は、第１の取引に係る占有状態が強制的に終了した後、第２の取引に係る占有状態を自動的に開始させるよう制御を行うようになっていてもよい。
【００１５】
また、前記制御部は、第２の取引に係る占有状態開始指令を受け付けた後に前記投入部に投入された貨幣を、前記筐体の外部に貨幣を返却するための返却部に送るよう制御を行うようになっていてもよい。
【００１６】
あるいは、前記制御部は、第２の取引に係る占有状態開始指令を受け付けた後において第１の取引に係る占有状態が強制的に終了する前に前記投入部に投入された貨幣を前記筐体の内部に送らないよう前記投入部の制御を行うようになっていてもよい。
【００１７】
本発明の貨幣処理装置は、持ち運び可能な記録媒体に記録された情報の読み取りを行う読取部を更に備え、前記記録媒体に記録された情報が前記読取部により読み取られたときに前記制御部は当該記録媒体に関する取引に係る占有状態開始指令を受け付けるようになっていてもよい。
【００１８】
本発明の貨幣処理装置は、前記制御部に指令を入力するための操作手段を更に備え、前記投入部に投入された貨幣が前記一時保留部に送られた後に前記操作手段によって前記制御部に入金確定の指令が入力されると当該制御部は占有状態終了指令を受け付けるようになっていてもよい。
【００１９】
本発明の貨幣処理装置は、入金処理の結果に係る情報を印字する印字部を更に備え、前記制御部は、第１の取引に係る占有状態が強制的に終了した後に改めて第１の取引に係る占有状態開始指令を受け付けると、第１の取引に関する入金処理の結果に係る情報を印字させるよう前記印字部の制御を行うようになっていてもよい。
【００２０】
本発明の貨幣処理装置は、前記投入部により前記筐体の内部に投入された貨幣を識別する識別部を更に備え、前記制御部は、前記識別部により正常な貨幣であると識別された貨幣を前記一時保留部に送るとともに、前記識別部により正常な貨幣ではないと識別された貨幣を、前記筐体の外部に貨幣を返却するための返却部に送るよう制御を行うようになっていてもよい。
【００２１】
本発明の貨幣処理方法は、少なくとも貨幣の入金処理を行う貨幣処理装置による貨幣処理方法であって、ある取引に係る占有状態開始指令を前記貨幣処理装置の制御部が受け付けると、当該制御部はこの取引に係る占有状態を開始させ、この取引に係る占有状態では投入部により筐体の内部に投入された貨幣を一時保留部で一時的に保留する工程と、ある取引に係る占有状態が続いているときに前記制御部がこの取引に係る占有状態終了指令を受け付けると、当該制御部はこの取引に係る占有状態を終了させるとともに前記一時保留部で一時的に保留された貨幣を収納部に送る工程と、を備え、前記制御部は、第１の取引に係る占有状態開始指令を受け付けた後、第１の取引に係る占有状態終了指令を受け付けることなく第２の取引に係る占有状態開始指令を受け付けると、第１の取引に係る占有状態を強制的に終了することができるようになっていることを特徴とする。
【００２２】
このような貨幣処理方法によれば、制御部は、第１の取引に係る占有状態開始指令を受け付けた後、第１の取引に係る占有状態終了指令を受け付けることなく第２の取引に係る占有状態開始指令を受け付けると、第１の取引に係る占有状態を強制的に終了することができるため、第１の取引に係る占有状態が強制的に終了した後では第２の取引に係る入金貨幣が第１の取引の追加入金として取り扱われることがなく、よって違算が発生することを防止することができる。
【００２３】
本発明の貨幣処理方法においては、前記制御部は、第１の取引に係る占有状態開始指令を受け付けた後、第１の取引に係る占有状態終了指令を受け付けることなく第２の取引に係る占有状態開始指令を受け付けると、特定の権限に係る確定指令を受け付けたときに第１の取引に係る占有状態を強制的に終了させるとともに前記一時保留部で一時的に保留された貨幣を前記収納部に送るよう制御を行うようになっていてもよい。
【００２４】
本発明の貨幣処理方法においては、前記制御部は、第１の取引に係る占有状態開始指令を受け付けた後において、第２の取引に係る占有状態開始指令を受け付けた後に改めて第１の取引に係る占有状態開始指令を受け付けると、第１の取引に係る占有状態を引き続き行うよう制御を行うようになっていてもよい。
【００２５】
また、前記制御部は、第１の取引に係る占有状態開始指令を受け付けた後、第１の取引に係る占有状態終了指令を受け付けることなく第２の取引に係る占有状態開始指令を受け付けると、第１の取引に係る占有状態を強制的に終了させるとともに前記一時保留部で一時的に保留された貨幣を前記収納部に送るよう制御を行うようになっていてもよい。
【００２６】
この場合、前記制御部は、第１の取引に係る占有状態が強制的に終了した後、第２の取引に係る占有状態開始指令を再び受け付けたときに第２の取引に係る占有状態を開始させるよう制御を行うようになっていてもよい。
【００２７】
あるいは、前記制御部は、第１の取引に係る占有状態が強制的に終了した後、第２の取引に係る占有状態を自動的に開始させるよう制御を行うようになっていてもよい。
【発明の効果】
【００２８】
本発明の貨幣処理装置および貨幣処理方法によれば、第１の取引に係る占有状態終了指令を受け付けなくてもこの第１の取引に係る占有状態を強制的に終了させることができるため、第１の取引に係る占有状態が強制的に終了した後では第２の取引に係る入金貨幣が第１の取引の追加入金として取り扱われることがなく、よって違算が発生することを防止することができる。
【図面の簡単な説明】
【００２９】
【図１】本発明の実施の形態による貨幣入金機が商業施設の出納室に設置されたときの構成を概略的に示す構成図である。
【図２】本発明の実施の形態による貨幣入金機が自動販売機のメンテナンス会社の営業所に設置されたときの構成を概略的に示す構成図である。
【図３】本発明の実施の形態による貨幣入金機の外観を示す斜視図である。
【図４】図３に示す貨幣入金機における硬貨入金装置の内部を側方から見たときの構成を示す側面図である。
【図５】図４に示す硬貨入金装置の内部における上部領域を上方から見たときの構成を示す上面図である。
【図６】図３に示す貨幣入金機における紙幣入金装置の内部を側方から見たときの構成を示す側面図である。
【図７】図３に示す貨幣入金機の制御系の構成を示す機能ブロック図である。
【図８】本発明の実施の形態による貨幣入金機において、第１の操作者が第１の取引（具体的には、貨幣の入金処理）を行った後に第２の操作者が第２の取引（具体的には、貨幣の入金処理）を行うときの動作の流れを示すフローチャートである。
【図９】本発明の実施の形態による貨幣入金機において、第１の操作者が第１の取引を確定させる前に第２の操作者が第２の取引を行おうとしたときの動作の流れの一例を示すフローチャートである。
【図１０】本発明の実施の形態による貨幣入金機において、第１の操作者が第１の取引を確定させる前に第２の操作者が第２の取引を行おうとしたときの動作の流れの他の例を示すフローチャートである。
【図１１】本発明の実施の形態による貨幣入金機において、第１の操作者が第１の取引を確定させる前に第２の操作者が第２の取引を行おうとしたときの動作の流れの更に他の例を示すフローチャートである。
【図１２】（ａ）〜（ｅ）は、それぞれ、本発明の実施の形態による貨幣入金機において、第１の操作者が第１の取引を確定させる前に第２の操作者が第２の取引を行おうとしたときの操作表示部における表示画面を示す図である。
【発明を実施するための形態】
【００３０】
以下、図面を参照して本発明の実施の形態について説明する。本実施の形態による貨幣入金機は、硬貨や紙幣等の貨幣の入金処理や計数処理を行うものであり、このような貨幣入金機はスーパーマーケットやショッピングモール等の商業施設における出納室に設置されたり、自動販売機のメンテナンス会社の営業所に設置されたりするようになっている。図１乃至図１２は、本実施の形態による貨幣入金機を示す図である。このうち、図１は、本実施の形態による貨幣入金機が商業施設の出納室に設置されたときの構成を概略的に示す構成図であり、図２は、本実施の形態による貨幣入金機が自動販売機のメンテナンス会社の営業所に設置されたときの構成を概略的に示す構成図である。また、図３は、本実施の形態による貨幣入金機の外観を示す斜視図であり、図４および図５は、図３に示す貨幣入金機における硬貨入金装置の内部の構成を示す側面図や上面図であり、図６は、図３に示す貨幣入金機における紙幣入金装置の内部の構成を示す側面図である。また、図７は、図３に示す貨幣入金機の制御系の構成を示す機能ブロック図である。また、図８は、本実施の形態による貨幣入金機において、第１の操作者が第１の取引（具体的には、貨幣の入金処理）を行った後に第２の操作者が第２の取引（具体的には、貨幣の入金処理）を行うときの動作の流れを示すフローチャートであり、図９乃至図１１は、それぞれ、本実施の形態による貨幣入金機において、第１の操作者が第１の取引を確定させる前に第２の操作者が第２の取引を行おうとしたときの動作の流れの様々な例を示すフローチャートである。また、図１２（ａ）〜（ｅ）は、それぞれ、本発明の実施の形態による貨幣入金機において、第１の操作者が第１の取引を確定させる前に第２の操作者が第２の取引を行おうとしたときの操作表示部における表示画面を示す図である。
【００３１】
まず、本実施の形態による貨幣入金機１がスーパーマーケットやショッピングモール等の商業施設１００に設置される場合について図１を用いて説明する。スーパーマーケットやショッピングモール等の商業施設１００において、顧客が立ち入ることができる売場領域１０１には、様々な商品が陳列される商品棚１０２や、商品の精算時に店員が顧客から商品の代金を受け取るためのレジカウンター１０４が設置されている。また、当該商業施設１００において、顧客が立ち入ることができない出納室１１０には、本実施の形態による貨幣入金機１が設置されている。また、各々のレジカウンター１０４には、店員が顧客から受け取った商品の代金としての貨幣の入金処理および釣銭としての貨幣の出金処理を行うことができる貨幣釣銭機１０６や、貨幣釣銭機１０６に通信可能に接続され、顧客が購入した商品に係る情報や貨幣釣銭機１０６に収納されている貨幣に係る情報等の管理を行うＰＯＳレジスタ（図示せず）が設けられている。このような商業施設１００では、営業時間が終了した後に（営業時間中の場合もある）、レジカウンター１０４に設けられた各貨幣釣銭機１０６から回収された貨幣を貨幣入金機１に入金することにより（図１における二点鎖線の矢印参照）、商業施設１００の店員等が売上金としての貨幣を銀行等の金融機関に持ち運ぶ必要がなくなるため防盗性を高めることができる。貨幣入金機１に入金された売上金としての貨幣は警送会社の警備員等によって当該貨幣入金機１の筐体１ａ内から後述する硬貨収納カセット４０や紙幣収納カセット７０ごと回収され、当該警送会社の管理本部に運搬された後、警送会社により売上金としての貨幣がまとめて銀行等の金融機関に入金されるようになる。また、このような商業施設１００において、売場領域１０１以外にテナント１２０が設置されている場合には、営業時間が終了した後に、テナント１２０から回収された貨幣も出納室１１０に設けられた貨幣入金機１に入金されるようになる。
【００３２】
一方、本実施の形態による貨幣入金機１が自動販売機のメンテナンス会社の営業所２００に設置される場合について図２を用いて説明する。自動販売機のメンテナンス会社の係員は、商品が積まれたトラック２０４により複数の自動販売機２０２を巡回する際に、各自動販売機２０２において商品や釣銭準備金としての貨幣の補充を行うとともに各自動販売機２０２から売上金としての貨幣を回収し、複数の自動販売機２０２から回収された貨幣を、営業所２００に設置された本実施の形態による貨幣入金機１に入金する。このことにより、自動販売機のメンテナンス会社の係員が各自動販売機２０２から回収された売上金としての貨幣を銀行等の金融機関に持ち運ぶ必要がなくなるため防盗性を高めることができる。
【００３３】
次に、本実施の形態による貨幣入金機１の具体的な構成について図３乃至図７を用いて説明する。図３は、本実施の形態による貨幣入金機１の外観を示す斜視図である。図３に示すように、本実施の形態による貨幣入金機１は略直方体形状の筐体１ａを有している。また、貨幣入金機１の筐体１ａを手前側から見て当該貨幣入金機１の左側部分には硬貨の入金処理や計数処理を行う硬貨入金装置１０が設けられており、一方、貨幣入金機１の筐体１ａを手前側から見て当該貨幣入金機１の右側部分には紙幣の入金処理や計数処理を行う紙幣入金装置５０が設けられている。
【００３４】
まず、本実施の形態の貨幣入金機１における硬貨入金装置１０の構成について図４および図５を用いて説明する。上述したように、図４は、硬貨入金装置１０の内部を側方から見たときの構成を示す側面図であり、図５は、図４に示す硬貨入金装置１０の内部における上部領域を上方から見たときの構成を示す上面図である。図４および図５に示すように、硬貨入金装置１０は、筐体１ａの外部から内部に硬貨を投入するための投入部１２と、投入部１２により筐体１ａの内部に投入された硬貨を搬送するための搬送部１４と、搬送部１４により搬送される硬貨の金種、真偽、正損等の識別を行う識別部１６とを備えている。
【００３５】
図４および図５に示すように、投入部１２には、水平状態となるよう配置された円盤形状の回転盤が設けられており、当該回転盤が回転することにより、筐体１ａの外部から投入されこの回転盤の上に載置された硬貨が１枚ずつ当該回転盤から搬送部１４に繰り出されるようになっている。投入部１２には、筐体１ａの外部から当該投入部１２に投入された硬貨を検知するための投入硬貨検知センサ（図示せず）が設けられている。また、図３に示すように、筐体１ａの上面には硬貨の投入口の開閉を行うシャッタ１２ａが設けられており、当該シャッタ１２ａが開かれたときに操作者は筐体１ａの外部から投入部１２に硬貨を投入することができるようになっている。このようなシャッタ１２ａは操作者が手動で開閉を行うことができるようになっている。
【００３６】
また、搬送部１４は、図５において矢印で示す方向に循環移動を行う無端状の搬送ベルト１４ａと、当該搬送ベルト１４ａが張架される複数のプーリ１４ｂ、１４ｃとを有しており、複数のプーリ１４ｂ、１４ｃのうちある一つのプーリ１４ｂには当該プーリ１４ｂを回転駆動させる駆動モータ（図示せず）が設けられている。また、無端状の搬送ベルト１４ａには、当該搬送ベルト１４ａの長手方向に沿って複数の突起が間隔を空けて設けられており、各突起により硬貨が１枚ずつ押動されて搬送されるようになっている。このような搬送部１４において、駆動モータがプーリ１４ｂを回転駆動させることにより無端状の搬送ベルト１４ａが図５において矢印で示す方向に循環移動し、このことにより投入部１２により筐体１ａの内部に投入された硬貨が１枚ずつ搬送ベルト１４ａにより搬送されるようになる。
【００３７】
また、搬送部１４には、識別部１６による硬貨の識別結果に基づいて硬貨の振り分けを行う振分機構１８が設けられている。具体的には、振分機構１８は、識別部１６により正常な硬貨であると識別された硬貨を当該搬送部１４から分岐させて後述する一時保留部２６に送るようになっている。より詳細に説明すると、搬送部１４において硬貨が搬送される搬送面において振分機構１８の近傍には開口が設けられている。そして、振分機構１８が搬送部１４における硬貨の搬送面から上方に突出した突出位置に移動すると、搬送部１４の搬送ベルト１４ａにより搬送される硬貨が当該開口を介して搬送部１４から下方に落下して後述する一時保留部２６に送られるようになる。また、搬送部１４の下流側端部の近傍には開口２０が設けられており、振分機構１８により搬送部１４から分岐されなかった硬貨、すなわち識別部１６により正常な硬貨ではないと識別された硬貨や識別部１６により識別することができなかった硬貨がリジェクト硬貨として当該開口２０から下方に落下し、後述するリジェクト部２８に送られるようになっている。
【００３８】
図４に示すように、硬貨入金装置１０において搬送部１４の下方には一時保留部２６およびリジェクト部２８がそれぞれ設けられている。ここで、一時保留部２６は、硬貨入金装置１０の奥行き方向（すなわち、図４における左右方向）において移動可能となっており、図４において実線や二点鎖線で示される３箇所の位置に移動することができるようになっている。また、一時保留部２６は、その頂部および底部に開口が設けられた略直方体形状の枠体を有している。また、図４における中央位置にある一時保留部２６と、搬送部１４における硬貨の搬送面において振分機構１８の近傍に設けられた開口との間には一時保留用シュート２２が設けられており、振分機構１８により振り分けられた硬貨は一時保留用シュート２２を通って一時保留部２６に送られるようになっている。また、リジェクト部２８と、搬送部１４の下流側端部の近傍に設けられた開口２０との間にはリジェクト用シュート２４が設けられており、開口２０から落下したリジェクト硬貨はリジェクト用シュート２４を通ってリジェクト部２８に送られるようになっている。
【００３９】
図３に示すように、リジェクト部２８は貨幣入金機１の筐体１ａの前面側から操作者がアクセスすることができるようになっており、このリジェクト部２８にリジェクト硬貨が送られると、操作者はリジェクト部２８からリジェクト硬貨を取り出すことができるようになっている。
【００４０】
また、硬貨入金装置１０の奥行き方向において手前側に位置する一時保留部２６（すなわち、図４において左側に位置する一時保留部２６）の下方には硬貨返却箱３０が設けられており、一時保留部２６が図４における中央の位置から左側の位置に移動すると、当該一時保留部２６に一時的に保留されている硬貨がこの一時保留部２６から自重により落下して硬貨返却箱３０に送られるようになっている。このような硬貨返却箱３０は筐体１ａから手前側に引き出し可能となっている。具体的には、硬貨返却箱３０を筐体１ａの内部にロックするためのロック部３１（図７参照）が設けられており、当該ロック部３１によるロック状態が解除されると、硬貨返却箱３０を筐体１ａから手前側に引き出すことができるようになる。また、図３に示すように、硬貨返却箱３０の前面には、操作者が把持するための把持部分３０ａが設けられており、ロック部３１によるロック状態が解除された後、操作者が把持部分３０ａを把持して硬貨返却箱３０を筐体１ａから手前側に引き出すことにより、硬貨返却箱３０に収納されている硬貨を筐体１ａの外部に返却することができるようになる。
【００４１】
また、硬貨入金装置１０の内部における下部領域には硬貨収納カセット４０が収容されており、硬貨入金装置１０の奥行き方向において奥側に位置する一時保留部２６（すなわち、図４において右側に位置する一時保留部２６）と、硬貨収納カセット４０との間には収納用シュート３２が設けられている。このことにより、一時保留部２６が図４における中央の位置から右側の位置に移動すると、当該一時保留部２６に一時的に保留されている硬貨がこの一時保留部２６から自重により落下して、収納用シュート３２を介して硬貨収納カセット４０に送られ、当該硬貨収納カセット４０に収納されるようになる。なお、硬貨収納カセット４０は筐体１ａの外部に取り出すことができるようになっている。具体的には、図３に示すように貨幣入金機１の筐体１ａの前面における下部領域には、警送会社の警備員等の所定の権限を有する者しか開くことができない扉１ｂが設けられており、この扉１ｂを開くことにより硬貨収納カセット４０を筐体１ａの外部に取り出すことができるようになる。警送会社の警備員等により筐体１ａの外部に取り出された硬貨収納カセット４０は、警送会社の管理本部や現金処理センターに運搬され、硬貨収納カセット４０から取り出された硬貨がこの管理本部で管理されるようになる。
【００４２】
次に、本実施の形態の貨幣入金機１における紙幣入金装置５０の構成について図６を用いて説明する。上述したように、図６は、紙幣入金装置５０の内部を側方から見たときの構成を示す側面図である。図６に示すように、紙幣入金装置５０は、筐体１ａの外部から紙幣が束状態で投入される投入部５２と、投入部５２に投入された紙幣を１枚ずつ筐体１ａの内部に繰り出すための繰出機構５４と、繰出機構５４により筐体１ａの内部に繰り出された紙幣を搬送するための搬送部５６と、搬送部５６により搬送される紙幣の金種、真偽、正損等の識別を行う識別部５８とを備えている。また、図３に示すように、筐体１ａの上面には紙幣の投入口の開閉を行うシャッタ５２ａが設けられており、当該シャッタ５２ａが開かれたときに操作者は筐体１ａの外部から投入部５２に紙幣の束を投入することができるようになっている。このようなシャッタ５２ａは操作者が手動で開閉を行うことができるようになっている。また、投入部５２には、筐体１ａの外部から当該投入部５２に投入された紙幣を検知するための投入紙幣検知センサ（図示せず）が設けられている。
【００４３】
また、搬送部５６における識別部５８よりも下流側の箇所には、識別部５８により識別された紙幣をリジェクト部６２および一時保留部６４のうちいずれか一方に振り分ける分岐部６０が設けられている。具体的には、分岐部６０において、識別部５８により正常な紙幣であると識別された紙幣は一時保留部６４に送られるよう振り分けられ、一方、識別部５８により正常な紙幣ではないと識別された紙幣や識別部５８により識別することができなかった紙幣はリジェクト紙幣としてリジェクト部６２に送られるよう振り分けられるようになっている。
【００４４】
図３に示すように、リジェクト部６２は貨幣入金機１の筐体１ａの前面側から操作者がアクセスすることができるようになっており、このリジェクト部６２にリジェクト紙幣が送られると、操作者はリジェクト部６２からリジェクト紙幣を取り出すことができるようになっている。
【００４５】
また、図６に示すように、紙幣入金装置５０の内部における下部領域において一時保留部６４の真下の位置には紙幣収納カセット７０が収容されている。そして、一時保留部６４に紙幣が一時的に保留された後、入金確定の指令が貨幣入金機１の本体制御部８０（後述）に与えられると、一時保留部６４から紙幣収納カセット７０に紙幣が一括して送られ、この紙幣収納カセット７０に収納されるようになっている。なお、紙幣収納カセット７０は筐体１ａの外部に取り出すことができるようになっている。具体的には、上述したように、貨幣入金機１の筐体１ａの前面における下部領域には扉１ｂが設けられており、この扉１ｂを開くことにより紙幣収納カセット７０を筐体１ａの外部に取り出すことができるようになる。警送会社の警備員等により筐体１ａの外部に取り出された紙幣収納カセット７０は、警送会社の管理本部や現金処理センターに運搬され、紙幣収納カセット７０から取り出された紙幣がこの管理本部で管理されるようになる。
【００４６】
また、図３に示すように、貨幣入金機１の筐体１ａの前面における一時保留部６４の手前側の位置には扉１ｃが設けられているとともに、当該扉１ｃを閉状態にロックするための扉ロック部６５（図７参照）が設けられている。そして、当該扉ロック部６５による扉１ｃのロック状態が解除されると、操作者は扉１ｃを手前右側に開いて一時保留部６４の内部にアクセスすることができるようになる。このようにして、一時保留部６４に紙幣が一時的に保留された後、返却の指令が貨幣入金機１の本体制御部８０（後述）に与えられると、扉ロック部６５による扉１ｃのロック状態が解除され、操作者は扉１ｃを開くことにより一時保留部６４の内部から紙幣を取り出すことができるようになり、よって筐体１ａの外部に紙幣が返却されるようになる。そして、操作者が手動で扉１ｃを閉じると、扉ロック部６５により扉１ｃが再び閉状態にロックされるようになる。なお、一時保留部６４に一時的に保留された紙幣を紙幣収納カセット７０に収納させる際には、扉ロック部６５による扉１ｃの閉状態のロックが維持されたままとなる。
【００４７】
次に、本実施の形態による貨幣入金機１の制御系の構成について図７を用いて説明する。図７に示すように、本実施の形態による貨幣入金機１には、当該貨幣入金機１の各構成部材の制御を行う本体制御部８０が設けられている。また、硬貨入金装置１０には当該硬貨入金装置１０の各構成部材（具体的には、投入部１２、搬送部１４、識別部１６、振分機構１８、一時保留部２６、ロック部３１等）に接続された硬貨制御部８１が設けられており、当該硬貨制御部８１により硬貨入金装置１０の各構成部材が制御されるようになっている。また、紙幣入金装置５０には当該紙幣入金装置５０の各構成部材（具体的には、繰出機構５４、搬送部５６、識別部５８、分岐部６０、一時保留部６４、扉ロック部６５等）に接続された紙幣制御部８２が設けられており、当該紙幣制御部８２により紙幣入金装置５０の各構成部材が制御されるようになっている。図７に示すように、硬貨入金装置１０に設けられた硬貨制御部８１や紙幣入金装置５０に設けられた紙幣制御部８２はそれぞれ本体制御部８０に通信可能に接続されている。
【００４８】
また、図３に示すように、貨幣入金機１の筐体１ａの上面には、プリンタ等の印字部８４、タッチパネル等の２つの操作表示部８６、８８および操作者が携帯するＩＤカード等の記録媒体９２に記憶された情報（具体的には、ＩＤカードのＩＤ情報等）を読み取るための磁気カードリーダ等の読取部９０がそれぞれ設けられており、これらの印字部８４、操作表示部８６、８８、読取部９０はそれぞれ本体制御部８０に通信可能に接続されている。印字部８４は、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報をレシートに印字するようになっている。また、操作表示部８６、８８には、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報が表示されるようになっている。また、操作者は、操作表示部８６、８８を操作することにより本体制御部８０に様々な指示を与えることができるようになっている。また、操作者が携帯するＩＤカード等の記録媒体９２には、ＩＤカードのＩＤ情報等の様々な情報を記憶する記憶部９２ａが設けられており、この記録媒体９２を磁気カードリーダ等の読取部９０に通すと、当該記憶部９２ａに記憶された情報が読取部９０により読み取られるようになっている。具体的には、操作者が記録媒体９２を読取部９０に通すことにより、当該操作者の権限を認証することができるようになり、所定の権限を有する操作者のみが貨幣入金機１において貨幣の入金処理や計数処理、回収処理を行うことができるようになる。
【００４９】
また、図７に示すように、本体制御部８０には記憶部９４が通信可能に接続されている。このような記憶部９４は貨幣入金機１の筐体１ａの内部に設けられており、当該記憶部９４には、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報が記憶されるようになっている。
【００５０】
また、本体制御部８０には通信インターフェース部９８が通信可能に接続されており、本体制御部８０は、この通信インターフェース部９８により、貨幣入金機１の外部に設けられた上位端末等の外部装置と信号の送受信を行うことができるようになっている。
【００５１】
次に、このような構成からなる本実施の形態の貨幣入金機１の動作（具体的には、硬貨入金装置１０や紙幣入金装置５０において硬貨や紙幣の入金処理が行われるときの動作）について説明する。なお、以下に示す貨幣入金機１の動作は、本体制御部８０が当該貨幣入金機１の各構成部材を制御することにより、あるいは本体制御部８０が硬貨制御部８１や紙幣制御部８２を経由して硬貨入金装置１０や紙幣入金装置５０の各構成部材を制御することにより行われるようになっている。
【００５２】
図１に示すような商業施設１００において売場領域１０１に設けられた各貨幣釣銭機１０６から回収された貨幣やテナント１２０から回収された貨幣が出納室１１０に運搬されると、当該貨幣のうち硬貨は貨幣入金機１の硬貨入金装置１０に入金されるとともに紙幣は貨幣入金機１の紙幣入金装置５０に入金される。また、図２に示すように、本実施の形態による貨幣入金機１が自動販売機のメンテナンス会社の営業所２００に設置される場合には、複数の自動販売機２０２から回収された貨幣が営業所２００に運搬されると、当該貨幣のうち硬貨は貨幣入金機１の硬貨入金装置１０に入金されるとともに紙幣は貨幣入金機１の紙幣入金装置５０に入金される。
【００５３】
以下、硬貨入金装置１０において硬貨の入金処理が行われるときの動作について説明する。操作者が自己のＩＤカード等の記録媒体９２を読取部９０に通すことにより、当該操作者の権限が認証された後、この操作者が操作表示部８６、８８により入金処理開始の指令を本体制御部８０に与えると、当該操作者は貨幣入金機１の筐体１ａの上面に設けられたシャッタ１２ａを手動で開くことにより筐体１ａの外部から硬貨を投入部１２に投入することができるようになる。投入部１２に投入された硬貨は当該投入部１２に設けられた回転盤により１枚ずつ筐体１ａの内部に繰り出され、搬送部１４により搬送される。この際に、識別部１６により硬貨の金種、真偽、正損等の識別が行われる。識別部１６により正常な硬貨であると識別された硬貨は振分機構１８により搬送部１４から分岐させられ、一時保留用シュート２２を介して一時保留部２６に送られ、この一時保留部２６に一時的に保留される。この際に、一時保留部２６は図４における中央の位置に維持される。また、識別部１６により正常な硬貨ではないと識別された硬貨や識別部１６により識別することができなかった硬貨はリジェクト硬貨として開口２０から落下し、リジェクト用シュート２４を介してリジェクト部２８に送られる。上述したように、貨幣入金機１の筐体１ａの前面側から操作者がリジェクト部２８にアクセスすることができるようになっているため、リジェクト部２８にリジェクト硬貨が送られると、操作者はリジェクト部２８からリジェクト硬貨を取り出すことができるようになる。
【００５４】
投入部１２に投入された硬貨が全て当該投入部１２に設けられた回転盤により筐体１ａの内部に繰り出されて一時保留部２６またはリジェクト部２８に送られると、操作表示部８６、８８には入金確定の承認を求めるメッセージが表示される。そして、操作者が入金確定の指令を操作表示部８６、８８により本体制御部８０に入力すると、一時保留部２６は図４における中央の位置から右側の位置に移動し、この一時保留部２６に一時的に保留されている硬貨が当該一時保留部２６から自重により落下し、収納用シュート３２を介して硬貨収納カセット４０に送られ、この硬貨収納カセット４０に収納されるようになる。一方、操作者が入金確定の指令の代わりに返却の指令を操作表示部８６、８８により本体制御部８０に入力すると、一時保留部２６は図４における中央の位置から左側の位置に移動し、この一時保留部２６に一時的に保留された硬貨が当該一時保留部２６から自重により落下して硬貨返却箱３０に送られるようになる。また、返却の指令が本体制御部８０に入力されると、ロック部３１によるロック状態が解除され、硬貨返却箱３０は筐体１ａから手前側に引き出し可能となる。その後、操作者が把持部分３０ａを把持して硬貨返却箱３０を筐体１ａから手前側に引き出すことにより、硬貨返却箱３０に収納されている硬貨が筐体１ａの外部に返却される。
【００５５】
次に、紙幣入金装置５０において紙幣の入金処理が行われるときの動作について説明する。操作者が自己のＩＤカード等の記録媒体９２を読取部９０に通すことにより、当該操作者の権限が認証された後、この操作者が操作表示部８６、８８により入金処理開始の指令を本体制御部８０に与えると、当該操作者は貨幣入金機１の筐体１ａの上面に設けられたシャッタ５２ａを手動で開くことにより筐体１ａの外部から紙幣の束を投入部５２に投入することができるようになる。投入部５２に紙幣の束が投入されると、シャッタ５２ａを操作者が手動で閉じた後に繰出機構５４によって紙幣が１枚ずつ筐体１ａの内部に繰り出され、搬送部５６により搬送される。この際に、識別部５８により紙幣の金種、真偽、正損等の識別が行われる。識別部５８により正常な紙幣であると識別された硬貨は分岐部６０により一時保留部６４に送られ、この一時保留部６４に一時的に保留される。また、識別部５８により正常な紙幣ではないと識別された紙幣や識別部５８により識別することができなかった紙幣はリジェクト紙幣としてリジェクト部６２に送られる。上述したように、貨幣入金機１の筐体１ａの前面側から操作者がリジェクト部６２にアクセスすることができるようになっているため、リジェクト部６２にリジェクト紙幣が送られると、操作者はリジェクト部６２からリジェクト紙幣を取り出すことができるようになる。
【００５６】
投入部５２に投入された紙幣が全て繰出機構５４により筐体１ａの内部に繰り出されて一時保留部６４またはリジェクト部６２に送られると、操作表示部８６、８８には入金確定の承認を求めるメッセージが表示される。そして、操作者が入金確定の指令を操作表示部８６、８８により本体制御部８０に入力すると、一時保留部６４に一時的に保留された紙幣が当該一時保留部６４から自重により落下して紙幣収納カセット７０に送られ、この紙幣収納カセット７０に収納されるようになる。一方、操作者が入金確定の指令の代わりに返却の指令を操作表示部８６、８８により本体制御部８０に入力すると、扉ロック部６５による扉１ｃのロック状態が解除され、操作者は扉１ｃを開くことにより一時保留部６４から紙幣を取り出すことができるようになる。このようにして、一時保留部６４に収納されている紙幣が筐体１ａの外部に返却される。なお、硬貨の入金処理と紙幣の入金処理は同時並行的に行われ、単一の入金確定の指令あるいは返却の指令によって収納動作または返却動作が行われる。
【００５７】
次に、本実施の形態による貨幣入金機１において、第１の操作者が第１の取引（具体的には、貨幣の入金処理）を行った後に第２の操作者が第２の取引（具体的には、貨幣の入金処理）を行うときの動作の流れについて図８に示すフローチャートを用いて説明する。
【００５８】
まず、第１の操作者が貨幣入金機１において貨幣の入金処理を行うにあたり、この第１の操作者が自己のＩＤカード等の記録媒体９２を読取部９０に通すことにより記録媒体９２に記録された情報を読取部９０により読み取らせると（ＳＴＥＰ１０１）、第１の操作者の権限が認証される。また、このときに、貨幣入金機１において、第１の取引に係る占有状態が開始される（ＳＴＥＰ１０２）。第１の取引に係る占有状態が開始されると、第１の操作者は貨幣入金機１の筐体１ａの上面に設けられたシャッタ１２ａ、５２ａを手動で開くことにより筐体１ａの外部から貨幣を投入部１２、５２に投入することができるようになる。そして、投入部１２、５２に貨幣が投入されると（ＳＴＥＰ１０３）、投入部１２、５２に投入された貨幣が筐体１ａの内部に繰り出され、識別部１６、５８により正常な貨幣であると識別された貨幣が一時保留部２６、６４に送られるとともに、識別部１６、５８により正常な貨幣ではないと識別された貨幣がリジェクト硬貨としてリジェクト部２８、６２に送られる（ＳＴＥＰ１０４）。そして、投入部１２、５２に投入された貨幣が全て一時保留部２６、６４またはリジェクト部２８、６２に送られると、操作表示部８６、８８には入金確定の承認を求めるメッセージが表示される。そして、第１の操作者が入金確定の指令を操作表示部８６、８８により本体制御部８０に入力すると（ＳＴＥＰ１０５）、一時保留部２６、６４から硬貨収納カセット４０や紙幣収納カセット７０（以下、これらの硬貨収納カセット４０や紙幣収納カセット７０をまとめて単に「収納部」ともいう）に貨幣が送られるとともに（ＳＴＥＰ１０６）、第１の取引に係る占有状態が終了する（ＳＴＥＰ１０７）。このように、ＩＤカード等の記録媒体９２に記録された情報を読取部９０により読み取らせることが占有状態開始指令となり、入金確定の指令を入力することが占有状態終了指令となる。
【００５９】
その後、第２の操作者が貨幣入金機１において貨幣の入金処理を行うにあたり、この第２の操作者が自己のＩＤカード等の記録媒体９２を読取部９０に通すことにより記録媒体９２に記録された情報を読取部９０により読み取らせると（ＳＴＥＰ１０８）、第２の操作者の権限が認証される。また、このときに、貨幣入金機１において、第２の取引に係る占有状態が開始される（ＳＴＥＰ１０９）。第２の取引に係る占有状態が開始されると、第２の操作者は貨幣入金機１の筐体１ａの上面に設けられたシャッタ１２ａ、５２ａを手動で開くことにより筐体１ａの外部から貨幣を投入部１２、５２に投入するようになる（ＳＴＥＰ１１０）。以下、同様にして第２の操作者は貨幣入金機１において貨幣の入金処理を行うことができるようになる。
【００６０】
なお、本実施の形態では、本体制御部８０は、第１の操作者が自己のＩＤカード等の記録媒体９２に記録された情報を読取部９０により読み取らせることによって第１の取引に係る占有状態開始指令を受け付けた後、第１の取引に係る占有状態終了指令を受け付けることなく第２の取引に係る占有状態開始指令を受け付けると、すなわち第２の操作者が自己のＩＤカード等の記録媒体９２に記録された情報を読取部９０により読み取らせると、第１の取引に係る占有状態を強制的に終了することができるようになっている。このような例について図９乃至図１１に示すフローチャートを用いて説明する。図９乃至図１１に示すフローチャートは、それぞれ、本実施の形態による貨幣入金機１において、第１の操作者が第１の取引（具体的には、貨幣の入金処理）を確定させる前に第２の操作者が第２の取引（具体的には、貨幣の入金処理）を行おうとしたときの動作の流れの様々な例を示すものである。
【００６１】
まず、図９に示すフローチャートの例について以下に述べる。最初に、第１の操作者が貨幣入金機１において貨幣の入金処理を行うにあたり、この第１の操作者が自己のＩＤカード等の記録媒体９２を読取部９０に通すことにより記録媒体９２に記録された情報を読取部９０により読み取らせると（ＳＴＥＰ２０１）、第１の操作者の権限が認証される。また、このときに、貨幣入金機１において、第１の取引に係る占有状態が開始される（ＳＴＥＰ２０２）。第１の取引に係る占有状態が開始されると、第１の操作者は貨幣入金機１の筐体１ａの上面に設けられたシャッタ１２ａ、５２ａを手動で開くことにより筐体１ａの外部から貨幣を投入部１２、５２に投入することができるようになる。そして、投入部１２、５２に貨幣が投入されると（ＳＴＥＰ２０３）、投入部１２、５２に投入された貨幣が筐体１ａの内部に繰り出され、識別部１６、５８により正常な貨幣であると識別された貨幣が一時保留部２６、６４に送られるとともに、識別部１６、５８により正常な貨幣ではないと識別された貨幣がリジェクト貨幣としてリジェクト部２８、６２に送られる（ＳＴＥＰ２０４）。そして、投入部１２、５２に投入された貨幣が全て一時保留部２６、６４またはリジェクト部２８、６２に送られると、操作表示部８６、８８には入金確定の承認を求めるメッセージが表示される。本来であれば、上述したように、第１の操作者が入金確定の指令または返却の指令を操作表示部８６、８８により本体制御部８０に入力する必要があるが、第１の操作者が操作表示部８６、８８により入金確定の指令を入力するのを忘れてしまった場合には、この第１の操作者が貨幣入金機１から離れても第１の取引に係る占有状態期間が継続され、第１の操作者により投入部１２、５２に投入された貨幣のうち正常な貨幣は一時保留部２６、６４に残留するようになる。なお、リジェクト部２８、６２に送られたリジェクト貨幣は、第１の操作者によって回収される場合と、リジェクト部２８、６２に残されたままとなる場合とがある。
【００６２】
その後、第２の操作者が貨幣入金機１において貨幣の入金処理を行おうとして、この第２の操作者が自己のＩＤカード等の記録媒体９２を読取部９０に通すことにより記録媒体９２に記録された情報を読取部９０により読み取らせると（ＳＴＥＰ２０５）、第２の操作者の権限が認証されるが、第１の取引に係る占有状態期間が続いているため、操作表示部８６、８８には図１２（ａ）に示すような警告メッセージが表示されるとともに図示しない音声部により警告音が発せられる。通常はこのような警告メッセージや警告音を受けることにより第２の操作者は第１の取引に係る占有状態期間が続いていることに気づき、投入部１２、５２に貨幣を投入しないが、このような警告メッセージや警告音が発せられたにもかかわらず第２の操作者が誤って投入部１２、５２に貨幣を投入してしまう場合がある（ＳＴＥＰ２０６）。このような場合に、投入部１２、５２に投入された貨幣のうち正常な貨幣を一時保留部２６、６４に送ってしまうと、一時保留部２６、６４において第１の操作者に係る貨幣と第２の操作者に係る貨幣が混在してしまうようになるため、本実施の形態では、投入部１２、５２に投入された貨幣を筐体１ａの内部に繰り出した後、全ての貨幣をリジェクト部２８、６２に送るようにする（ＳＴＥＰ２０７）。また、この際に、操作表示部８６、８８には、図１２（ｂ）に示すように、リジェクト部２８、６２から貨幣を取り出すことを第２の操作者に催促する旨のメッセージが表示される。このことにより、第２の操作者は投入部１２、５２に誤って投入した貨幣をリジェクト部２８、６２から筐体１ａの外部に取り出すことができるようになり、一時保留部２６、６４において第１の操作者に係る貨幣と第２の操作者に係る貨幣が混在してしまうことを防止することができるようになる。その後、図１２（ｂ）に示すような操作表示部８６、８８の表示画面において「確認」ボタンが押下されると、操作表示部８６、８８の表示画面が図１２（ａ）に示すような表示画面に戻るようになる。
【００６３】
なお、第２の操作者が誤って投入部１２、５２に貨幣を投入してしまったときに（ＳＴＥＰ２０６）、投入部１２、５２に投入された貨幣を筐体１ａの内部に繰り出してリジェクト部２８、６２に送る代わりに、投入部１２、５２に投入された貨幣を筐体１ａの内部に繰り出さず、当該投入部１２、５２に残留させるようにしてもよい。この場合でも、一時保留部２６、６４において第１の操作者に係る貨幣と第２の操作者に係る貨幣が混在してしまうことを防止することができるようになる。また、更に別の例として、第２の操作者が誤って投入部１２、５２に貨幣を投入してしまったときに（ＳＴＥＰ２０６）、硬貨入金装置１０については、投入部１２に投入された硬貨を筐体１ａの内部に繰り出してリジェクト部２８に送るが、紙幣入金装置５０については、投入部５２に投入された紙幣を筐体１ａの内部に繰り出さず、当該投入部５２に残留させるようにしてもよい。
【００６４】
図９に示すフローチャートの例では、貨幣入金機１における第１の取引に係る占有状態期間を強制的に終了させるには、図１２（ａ）における操作表示部８６、８８の表示画面に示すように、特定の権限（例えば、店長権限）に係る確定指令を本体制御部８０に入力し、第１の取引に係る貨幣の入金処理について強制確定を行う必要がある。具体的には、店長が所持する店長権限カードを読取部９０に通すことにより当該店長権限カードに記録された情報を読取部９０により読み取らせると（ＳＴＥＰ２０８）、特定の権限（すなわち、店長権限）に係る確定指令が本体制御部８０に入力されるようになり、一時保留部２６、６４に一時的に保留されている第１の操作者に係る貨幣が収納部に送られるとともに（ＳＴＥＰ２０９）、第１の取引に係る占有状態が強制的に終了する（ＳＴＥＰ２１０）。この際に、収納部に収納された第１の操作者に係る貨幣の情報（具体的には、収納部に収納された貨幣の金種毎の枚数や合計金額に係る情報）が印字部８４により強制的にレシートに印字され、このレシートは店長により保管される。また、第１の操作者に係る貨幣の入金処理の結果に関する情報が記憶部９４に記憶されたり通信インターフェース部９８により上位端末等の外部装置に送信されたりするようになる。また、リジェクト部２８、６２にリジェクト貨幣が残っている場合は、店長がリジェクト貨幣を回収して別途保管する。その後、第２の操作者が自己のＩＤカード等の記録媒体９２を読取部９０に通すことにより記録媒体９２に記録された情報を読取部９０により読み取らせると（ＳＴＥＰ２１１）、第２の操作者の権限が認証される。また、このときに、貨幣入金機１において、第２の取引に係る占有状態が開始される（ＳＴＥＰ２１２）。このようにして、第２の取引に係る占有状態が開始されると、第２の操作者は筐体１ａの外部から貨幣を投入部１２、５２に投入するようになり（ＳＴＥＰ２１３）、第２の操作者は貨幣入金機１において貨幣の入金処理を行うことができるようになる。
【００６５】
また、図９に示すフローチャートの例において、貨幣入金機１において第１の取引に係る占有状態期間が続いているときに、店長が所持する店長権限カードに記録された情報を読取部９０により読み取らせる（ＳＴＥＰ２０８）代わりに、第１の操作者が貨幣入金機１に戻ってきて当該第１の操作者が自己のＩＤカード等の記録媒体９２に記録された情報を読取部９０により読み取らせると、貨幣入金機１において第１の取引に係る占有状態期間が継続されるようになる。そして、貨幣入金機１に戻ってきた第１の操作者が入金確定の指令または返却の指令を操作表示部８６、８８により本体制御部８０に入力することにより、一時保留部２６、６４で一時的に保留された貨幣が収納部に送られたりあるいは筐体１ａの外部に返却されたりするようになる。
【００６６】
また、本実施の形態による貨幣入金機１において、第１の操作者が第１の取引を確定させる前に第２の操作者が第２の取引を行おうとしたときの動作の他の例について図１０に示すフローチャートを用いて以下に説明する。図１０に示すフローチャートの例では、本体制御部８０は、第１の取引に係る占有状態期間が続いているときに、第２の取引に係る占有状態開始指令を受け付けると、第１の取引に係る占有状態を強制的に終了させるとともに一時保留部２６、６４で一時的に保留されている貨幣を収納部に送るよう貨幣入金機１の各構成部材を制御するようになっている。
【００６７】
図１０に示すフローチャートの例について具体的に説明すると、最初に、第１の操作者が貨幣入金機１において貨幣の入金処理を行うにあたり、この第１の操作者が自己のＩＤカード等の記録媒体９２を読取部９０に通すことにより記録媒体９２に記録された情報を読取部９０により読み取らせると（ＳＴＥＰ３０１）、第１の操作者の権限が認証される。また、このときに、貨幣入金機１において、第１の取引に係る占有状態が開始される（ＳＴＥＰ３０２）。第１の取引に係る占有状態が開始されると、第１の操作者は貨幣入金機１の筐体１ａの上面に設けられたシャッタ１２ａ、５２ａを手動で開くことにより筐体１ａの外部から貨幣を投入部１２、５２に投入することができるようになる。そして、投入部１２、５２に貨幣が投入されると（ＳＴＥＰ３０３）、投入部１２、５２に投入された貨幣が筐体１ａの内部に繰り出され、識別部１６、５８により正常な貨幣であると識別された貨幣が一時保留部２６、６４に送られるとともに、識別部１６、５８により正常な貨幣ではないと識別された貨幣がリジェクト硬貨としてリジェクト部２８、６２に送られる（ＳＴＥＰ３０４）。そして、投入部１２、５２に投入された貨幣が全て一時保留部２６、６４またはリジェクト部２８、６２に送られると、操作表示部８６、８８には入金確定の承認を求めるメッセージが表示される。ここで、第１の操作者が操作表示部８６、８８により入金確定の指令を入力するのを忘れてしまった場合には、この第１の操作者が貨幣入金機１から離れても第１の取引に係る占有状態期間が継続され、第１の操作者により投入部１２、５２に投入された貨幣のうち正常な貨幣は一時保留部２６、６４に残留するようになる。
【００６８】
その後、第２の操作者が貨幣入金機１において貨幣の入金処理を行おうとして、この第２の操作者が自己のＩＤカード等の記録媒体９２を読取部９０に通すことにより記録媒体９２に記録された情報を読取部９０により読み取らせると（ＳＴＥＰ３０５）、第２の操作者の権限が認証されるが、第１の取引に係る占有状態期間が続いているため、操作表示部８６、８８には図１２（ｃ）に示すような警告メッセージが表示されるとともに図示しない音声部により警告音が発せられる。通常はこのような警告メッセージや警告音を受けることにより第２の操作者は第１の取引に係る占有状態期間が続いていることに気づき、投入部１２、５２に貨幣を投入しないが、このような警告メッセージや警告音が発せられたにもかかわらず第２の操作者が誤って投入部１２、５２に貨幣を投入してしまう場合がある（ＳＴＥＰ３０６）。このような場合に、投入部１２、５２に投入された貨幣のうち正常な貨幣を一時保留部２６、６４に送ってしまうと、一時保留部２６、６４において第１の操作者に係る貨幣と第２の操作者に係る貨幣が混在してしまうようになるため、投入部１２、５２に投入された貨幣は筐体１ａの内部に繰り出されることなく当該投入部１２、５２に残留するようになる。このことにより、一時保留部２６、６４において第１の操作者に係る貨幣と第２の操作者に係る貨幣が混在してしまうことを防止することができるようになる。
【００６９】
また、操作表示部８６、８８に図１２（ｃ）に示すような表示画面が表示されているときに、第２の操作者が「強制確定」ボタンを押下すると、一時保留部２６、６４に一時的に保留されている第１の操作者に係る貨幣が収納部に送られるとともに（ＳＴＥＰ３０７）、第１の取引に係る占有状態が強制的に終了する（ＳＴＥＰ３０８）。この際に、操作表示部８６、８８には図１２（ｄ）に示すような、第１の操作者に係る貨幣を収納部に収納する旨のメッセージが表示されるようになる。また、第１の操作者に係る貨幣の入金処理の結果に関する情報が記憶部９４に記憶されたり通信インターフェース部９８により上位端末等の外部装置に送信されたりするようになる。
【００７０】
なお、上記の例では、図１２（ｃ）に示すような操作表示部８６、８８の表示画面において第２の操作者が「強制確定」ボタンを押下するという所定の指示操作を行うことにより第１の取引に係る占有状態が強制的に終了するようになっているが、このような例に限定されることはない。他の例として、第２の操作者のＩＤカード等の記録媒体９２が読取部９０により読み取られた後、この第２の操作者により投入部１２、５２に貨幣が投入されるだけで、第１の取引に係る占有状態が強制的に終了するようになっていてもよい。また、更に他の例として、第２の操作者のＩＤカード等の記録媒体９２が読取部９０により読み取られるだけで、第１の取引に係る占有状態が強制的に終了するようになっていてもよい。
【００７１】
第１の取引に係る占有状態が強制的に終了すると（ＳＴＥＰ３０８）、操作表示部８６、８８には図１２（ｅ）に示すような表示画面が表示されるようになる。そして、第２の操作者が自己のＩＤカード等の記録媒体９２を再び読取部９０に通すことにより記録媒体９２に記録された情報を読取部９０により読み取らせると（ＳＴＥＰ３０９）、第２の操作者の権限が認証される。また、このときに、貨幣入金機１において、第２の取引に係る占有状態が開始される（ＳＴＥＰ３１０）。このようにして、第２の取引に係る占有状態が開始されると、第２の操作者により投入部１２、５２に誤って投入され、当該投入部１２、５２に残留していた貨幣が筐体１ａの内部に繰り出され、識別部１６、５８により正常な貨幣であると識別された貨幣が一時保留部２６、６４に送られるとともに、識別部１６、５８により正常な貨幣ではないと識別された貨幣がリジェクト硬貨としてリジェクト部２８、６２に送られる（ＳＴＥＰ３１１）。このようにして、第２の操作者は貨幣入金機１において貨幣の入金処理を行うことができるようになる。
【００７２】
また、本実施の形態による貨幣入金機１において、第１の操作者が第１の取引を確定させる前に第２の操作者が第２の取引を行おうとしたときの動作の更に他の例について図１１に示すフローチャートを用いて以下に説明する。図１１に示すフローチャートの例では、図１０に示すフローチャートの例と同様に、本体制御部８０は、第１の取引に係る占有状態期間が続いているときに、第２の取引に係る占有状態開始指令を受け付けると、第１の取引に係る占有状態を強制的に終了させるとともに一時保留部２６、６４で一時的に保留されている貨幣を収納部に送るよう貨幣入金機１の各構成部材を制御するようになっている。また、図１１に示すフローチャートの例では、本体制御部８０は、第１の取引に係る占有状態が強制的に終了した後、第２の取引に係る占有状態を自動的に開始させるよう貨幣入金機１の各構成部材を制御するようになっている。
【００７３】
図１１に示すフローチャートの例について具体的に説明すると、最初に、第１の操作者が貨幣入金機１において貨幣の入金処理を行うにあたり、この第１の操作者が自己のＩＤカード等の記録媒体９２を読取部９０に通すことにより記録媒体９２に記録された情報を読取部９０により読み取らせると（ＳＴＥＰ４０１）、第１の操作者の権限が認証される。また、このときに、貨幣入金機１において、第１の取引に係る占有状態が開始される（ＳＴＥＰ４０２）。第１の取引に係る占有状態が開始されると、第１の操作者は貨幣入金機１の筐体１ａの上面に設けられたシャッタ１２ａ、５２ａを手動で開くことにより筐体１ａの外部から貨幣を投入部１２、５２に投入することができるようになる。そして、投入部１２、５２に貨幣が投入されると（ＳＴＥＰ４０３）、投入部１２、５２に投入された貨幣が筐体１ａの内部に繰り出され、識別部１６、５８により正常な貨幣であると識別された貨幣が一時保留部２６、６４に送られるとともに、識別部１６、５８により正常な貨幣ではないと識別された貨幣がリジェクト硬貨としてリジェクト部２８、６２に送られる（ＳＴＥＰ４０４）。そして、投入部１２、５２に投入された貨幣が全て一時保留部２６、６４またはリジェクト部２８、６２に送られると、操作表示部８６、８８には入金確定の承認を求めるメッセージが表示される。ここで、第１の操作者が操作表示部８６、８８により入金確定の指令を入力するのを忘れてしまった場合には、この第１の操作者が貨幣入金機１から離れても第１の取引に係る占有状態期間が継続され、第１の操作者により投入部１２、５２に投入された貨幣のうち正常な貨幣は一時保留部２６、６４に残留するようになる。
【００７４】
その後、第２の操作者が貨幣入金機１において貨幣の入金処理を行おうとして、この第２の操作者が自己のＩＤカード等の記録媒体９２を読取部９０に通すことにより記録媒体９２に記録された情報を読取部９０により読み取らせると（ＳＴＥＰ４０５）、第２の操作者の権限が認証されるが、第１の取引に係る占有状態期間が続いているため、操作表示部８６、８８には図１２（ｃ）に示すような警告メッセージが表示されるとともに図示しない音声部により警告音が発せられる。通常はこのような警告メッセージや警告音を受けることにより第２の操作者は第１の取引に係る占有状態期間が続いていることに気づき、投入部１２、５２に貨幣を投入しないが、このような警告メッセージや警告音が発せられたにもかかわらず第２の操作者が誤って投入部１２、５２に貨幣を投入してしまう場合がある（ＳＴＥＰ４０６）。このような場合に、投入部１２、５２に投入された貨幣のうち正常な貨幣を一時保留部２６、６４に送ってしまうと、一時保留部２６、６４において第１の操作者に係る貨幣と第２の操作者に係る貨幣が混在してしまうようになるため、投入部１２、５２に投入された貨幣は筐体１ａの内部に繰り出されることなく当該投入部１２、５２に残留するようになる。このことにより、一時保留部２６、６４において第１の操作者に係る貨幣と第２の操作者に係る貨幣が混在してしまうことを防止することができるようになる。
【００７５】
また、操作表示部８６、８８に図１２（ｃ）に示すような表示画面が表示されているときに、第２の操作者が「強制確定」ボタンを押下すると、一時保留部２６、６４に一時的に保留されている第１の操作者に係る貨幣が収納部に送られるとともに（ＳＴＥＰ４０７）、第１の取引に係る占有状態が強制的に終了する（ＳＴＥＰ４０８）。この際に、操作表示部８６、８８には図１２（ｄ）に示すような、第１の操作者に係る貨幣を収納部に収納する旨のメッセージが表示されるようになる。また、第１の操作者に係る貨幣の入金処理の結果に関する情報が記憶部９４に記憶されたり通信インターフェース部９８により上位端末等の外部装置に送信されたりするようになる。また、第１の取引に係る占有状態が強制的に終了すると同時に第２の取引に係る占有状態が開始される（ＳＴＥＰ４０８）。第２の取引に係る占有状態が開始されると、第２の操作者により投入部１２、５２に誤って投入され、当該投入部１２、５２に残留していた貨幣が筐体１ａの内部に繰り出され、識別部１６、５８により正常な貨幣であると識別された貨幣が一時保留部２６、６４に送られるとともに、識別部１６、５８により正常な貨幣ではないと識別された貨幣がリジェクト硬貨としてリジェクト部２８、６２に送られる（ＳＴＥＰ４０９）。このようにして、第２の操作者は貨幣入金機１において貨幣の入金処理を行うことができるようになる。
【００７６】
なお、上記の例では、図１２（ｃ）に示すような操作表示部８６、８８の表示画面において第２の操作者が「強制確定」ボタンを押下することにより第１の取引に係る占有状態が強制的に終了するとともに第２の取引に係る占有状態が開始されるようになるが、このような例に限定されることはない。他の例として、第２の操作者のＩＤカード等の記録媒体９２が読取部９０により読み取られた後、この第２の操作者により投入部１２、５２に貨幣が投入されるだけで、第１の取引に係る占有状態が強制的に終了するとともに第２の取引に係る占有状態が開始されるようになっていてもよい。また、更に他の例として、第２の操作者のＩＤカード等の記録媒体９２が読取部９０により読み取られるだけで、第１の取引に係る占有状態が強制的に終了するとともに第２の取引に係る占有状態が開始されるようになっていてもよい。
【００７７】
以上のような構成からなる本実施の形態の貨幣入金機１によれば、図９乃至図１１の各フローチャートに示すように、本体制御部８０は、第１の取引に係る占有状態開始指令を受け付けた後、第１の取引に係る占有状態終了指令を受け付けることなく第２の取引に係る占有状態開始指令を受け付けると、第１の取引に係る占有状態を強制的に終了することができるようになっている。ここで、「第１の取引に係る占有状態開始指令を受け付けた後、第１の取引に係る占有状態終了指令を受け付けることなく第２の取引に係る占有状態開始指令を受け付けると、第１の取引に係る占有状態を強制的に終了することができる」とは、単に第１の取引に係る占有状態を通常終了させるのではなく、図９のフローチャートに示すように特定の権限（例えば、店長権限）に係る確定指令を本体制御部８０に入力することや、図１０や図１１のフローチャートに示すように他の操作者（すなわち、第２の操作者）により第２の取引に係る占有状態開始指令を本体制御部８０に入力することを介して第１の取引に係る占有状態を終了させることを含んでいる。本体制御部８０が上記内容の制御を行うことにより、第１の取引に係る占有状態が強制的に終了した後では第２の取引に係る入金貨幣が第１の取引の追加入金として取り扱われることがなく、よって違算が発生することを防止することができる。すなわち、従来技術では、第１の取引に係る占有状態開始指令を本体制御部８０が受け付けた後、第１の操作者によって貨幣入金機１の筐体１ａ内の投入された貨幣が全て一時保留部２６、６４に送られたときにこの第１の操作者が入金確定の指令を入力し忘れて帰ってしまった場合には、第２の操作者がＩＤカード等の記録媒体９２に記録された情報を読取部９０により読み取らせた後、この第２の操作者が誤って投入部１２、５２に貨幣を投入してしまったときに、当該貨幣は第１の操作者の追加入金として取り扱われるようになってしまうため、貨幣入金機１において違算が発生してしまうという問題があった。これに対し、本実施の形態の貨幣入金機１によれば、第１の取引に係る占有状態を強制的に終了させることにより、このような違算が発生することを防止することができる。
【００７８】
また、本実施の形態の貨幣入金機１においては、図９のフローチャートに示すように、本体制御部８０は、第１の取引に係る占有状態開始指令を受け付けた後（ＳＴＥＰ２０１）、第１の取引に係る占有状態終了指令を受け付けることなく第２の取引に係る占有状態開始指令を受け付けると（ＳＴＥＰ２０５）、特定の権限に係る確定指令を受け付けたときに（ＳＴＥＰ２０８）、第１の取引に係る占有状態を強制的に終了させるとともに（ＳＴＥＰ２１０）、一時保留部２６、６４で一時的に保留された貨幣を収納部に送るよう（ＳＴＥＰ２０９）制御を行うようになっている。また、上述したように、本体制御部８０は、第１の取引に係る占有状態開始指令を受け付けた後において、第２の取引に係る占有状態開始指令を受け付けた後に第１の取引に係る占有状態開始指令を受け付けると（具体的には、第１の操作者が貨幣入金機１に戻ってきて当該第１の操作者が所有するＩＤカード等の記録媒体９２に記録された情報が読取部９０により読み取られると）、第１の取引に係る占有状態を引き続き行うよう制御を行うようになっている。
【００７９】
また、本実施の形態の貨幣入金機１においては、図１０および図１１の各フローチャートに示すように、本体制御部８０は、第１の取引に係る占有状態開始指令を受け付けた後、第１の取引に係る占有状態終了指令を受け付けることなく第２の取引に係る占有状態開始指令を受け付けると、第１の取引に係る占有状態を強制的に終了させるとともに一時保留部２６、６４で一時的に保留された貨幣を収納部に送るよう制御を行うようになっている。
【００８０】
この場合、図１０のフローチャートに示すように、本体制御部８０は、第１の取引に係る占有状態が強制的に終了した後（ＳＴＥＰ３０８）、第２の取引に係る占有状態開始指令を再び受け付けたときに（ＳＴＥＰ３０９）、第２の取引に係る占有状態を開始させるよう（ＳＴＥＰ３１０）制御を行うようになっていてもよい。あるいは、図１１のフローチャートに示すように、本体制御部８０は、第１の取引に係る占有状態が強制的に終了した後、第２の取引に係る占有状態を自動的に開始させるよう（ＳＴＥＰ４０８）制御を行うようになっていてもよい。
【００８１】
また、本実施の形態の貨幣入金機１においては、図９のフローチャートに示すように、本体制御部８０は、第２の取引に係る占有状態開始指令を受け付けた後に（ＳＴＥＰ２０５）、投入部１２、５２に投入された貨幣を（ＳＴＥＰ２０６）、筐体１ａの外部に貨幣を返却するための返却部（具体的には、リジェクト部２８、６２）に送るよう（ＳＴＥＰ２０７）制御を行うようになっている。この場合には、一時保留部２６、６４において第１の操作者に係る貨幣と第２の操作者に係る貨幣が混在してしまうことを防止することができるようになる。
【００８２】
また、本実施の形態の貨幣入金機１においては、図１０や図１１のフローチャートに示すように、本体制御部８０は、第２の取引に係る占有状態開始指令を受け付けた後において第１の取引に係る占有状態が強制的に終了する前に投入部１２、５２に投入された貨幣を筐体１ａの内部に送らないよう投入部１２、５２の制御を行うようになっていてもよい。この場合でも、一時保留部２６、６４において第１の操作者に係る貨幣と第２の操作者に係る貨幣が混在してしまうことを防止することができるようになる。
【００８３】
また、本実施の形態の貨幣入金機１においては、上述したように、持ち運び可能な記録媒体９２に記録された情報の読み取りを行う読取部９０が設けられており、記録媒体９２に記録された情報が読取部９０により読み取られたときに本体制御部８０は当該記録媒体９２に関する取引に係る占有状態開始指令を受け付けるようになっている。
【００８４】
また、本実施の形態の貨幣入金機１においては、上述したように、本体制御部８０に指令を入力するための操作手段として操作表示部８６、８８が設けられており、投入部１２、５２に投入された貨幣が一時保留部２６、６４に送られた後に操作手段としての操作表示部８６、８８によって本体制御部８０に入金確定の指令が入力されると当該本体制御部８０は占有状態終了指令を受け付けるようになっている。
【００８５】
また、本実施の形態の貨幣入金機１においては、上述したように、投入部１２、５２により筐体１ａの内部に投入された貨幣を識別する識別部１６、５８が設けられており、本体制御部８０は、識別部１６、５８により正常な貨幣であると識別された貨幣を一時保留部２６、６４に送るとともに、識別部１６、５８により正常な貨幣ではないと識別された貨幣を、筐体１ａの外部に貨幣を返却するための返却部（具体的には、リジェクト部２８、６２）に送るよう制御を行うようになっている。
【００８６】
なお、本実施の形態による貨幣入金機１やこの貨幣入金機１による貨幣処理方法は、上述したような態様に限定されることはなく、様々な変更を加えることができる。
【００８７】
例えば、貨幣入金機１においてある操作者が当該操作者の取引（具体的には、貨幣の入金処理）に係る占有状態を開始させるにあたり、当該操作者が自己のＩＤカード等の記録媒体９２を読取部９０に通して当該記録媒体９２に記録された情報を読取部９０により読み取らせることにより、この操作者の取引に係る占有状態開始指令が本体制御部８０に受け付けられるような例に限定されることはない。他の例として、操作者が操作表示部８６、８８により自己の識別番号（例えば、店員番号等）を手入力することにより、当該操作者の権限が本体制御部８０において認証され、このことによりこの操作者の取引に係る占有状態が開始するようになっていてもよい。
【００８８】
また、貨幣入金機１においてある操作者の取引に係る占有状態が強制的に終了したときに、当該操作者が後日（例えば、次の日）、自己のＩＤカード等の記録媒体９２に記録された情報を読取部９０により読み取らせると、操作表示部８６、８８において正常に終了していない取引が存在する旨のメッセージが表示されるとともに、強制的に終了した取引において収納部に収納された貨幣の情報（具体的には、収納部に収納された貨幣の金種毎の枚数や合計金額に係る情報）が操作表示部８６、８８に表示される。この際に、操作者が承認指令を操作表示部８６、８８により入力すると、この操作者がいない間に強制的に終了した前回の取引が正常に終了する。また、この際に、印字部８４により、強制的に終了した取引において収納部に収納された貨幣の情報がレシートに印字される。その後、当該操作者は貨幣入金機１において新たな取引（具体的には、入金処理）を行うことができるようになる。
【００８９】
また、貨幣入金機１においてある操作者の取引に係る占有状態期間が継続しているときに、当該貨幣入金機１で操作者により何ら操作が行われない期間が所定時間以上続いた場合、他の操作者のＩＤカード等の記録媒体９２に記録された情報が読取部９０により読み取られなくても、当該操作者の取引に係る占有状態が強制的に終了するようになっていてもよい。また、貨幣入金機１の筐体１ａの手前側に存在する人体を検知するための人体検知センサが当該貨幣入金機１の筐体１ａの前面に設けられており、人体検知センサにより人体が検知されない期間が所定時間以上続いた場合、他の操作者のＩＤカード等の記録媒体９２に記録された情報が読取部９０により読み取られなくても、当該操作者の取引に係る占有状態が強制的に終了するようになっていてもよい。
【００９０】
また、貨幣入金機１においてある操作者の取引に係る占有状態期間が継続しているときに、当該貨幣入金機１で操作者により何ら操作が行われない期間が所定時間以上続いた場合、他の操作者のＩＤカード等の記録媒体９２に記録された情報が読取部９０により読み取られなくても、店長等の所定の権限を有する者が自己のＩＤカード等の記録媒体９２に記録された情報を読取部９０により読み取らせたり、操作表示部８６、８８により店長等の識別番号を入力したりすることにより、当該操作者の取引に係る占有状態が強制的に終了するようになっていてもよい。
【００９１】
また、更なる変形例に係る貨幣入金機１において、投入部１２、５２のシャッタ１２ａ、５２ａをモータ駆動とし、第１の操作者の取引に係る占有状態期間が継続しているときに、第２の操作者が自己のＩＤカード等の記録媒体９２を読取部９０に通すと、投入部１２、５２のシャッタ１２ａ、５２ａが閉じられるとともに、操作表示部８６、８８において警告メッセージが表示されたり図示しない音声部により警告音が発せられたりするようになっていてもよい。なお、第１の操作者の取引に係る占有状態期間が継続しているときに、第２の操作者が自己のＩＤカード等の記録媒体９２を読取部９０に通す前に投入部１２、５２に貨幣を誤って投入してしまった場合は、投入部１２、５２に投入された貨幣を筐体１ａの内部に繰り出してリジェクト部２８、６２に送るか、あるいは投入部１２、５２に投入された貨幣を筐体１ａの内部に繰り出さず、当該投入部１２、５２に残留させるようにする。
【００９２】
また、別の変形例に係る貨幣入金機１において、同様に投入部１２、５２のシャッタ１２ａ、５２ａをモータ駆動とし、第１の操作者が自己のＩＤカード等の記録媒体９２を読取部９０に通すことにより第１の操作者の取引に係る占有状態が開始した後、当該第１の操作者が投入部１２、５２に貨幣を投入すると、シャッタ１２ａ、５２ａが一旦閉まるようになっていてもよい。この場合は、第１の操作者の取引に係る占有状態期間が継続しているときに、第２の操作者が自己のＩＤカード等の記録媒体９２を読取部９０に通すと、操作表示部８６、８８において警告メッセージが表示されるとともに図示しない音声部により警告音が発せられるが、この第２の操作者は投入部１２、５２に貨幣を投入することができないため、第２の取引に係る入金貨幣が第１の取引の追加入金として取り扱われることがなく、よって違算が発生することを防止することができる。また、この場合、第１の操作者が追加入金を行いたい場合には、操作表示部８６、８８において追加入金を行う旨の指令を入力すると、シャッタ１２ａ、５２ａが開くことによりこの第１の操作者は投入部１２、５２に貨幣を投入することができるようになる。
【００９３】
また、本実施の形態の貨幣入金機１において、読取部９０により読み取られるべきＩＤカード等の記録媒体９２として、管理権限が互いに異なる複数の種類のものが用いられるようになっていてもよい。この場合には、貨幣入金機１の読取部９０に最初に通した記録媒体９２（すなわち、どの取引の占有状態期間でもないような状態で読取部９０に通した記録媒体９２）の管理権限と、この記録媒体９２に係る取引の占有状態期間中に読取部９０に通した別の記録媒体９２の管理権限との組み合わせによって、投入部１２、５２に投入された貨幣の処理方法を変えるようにしてもよい。具体的には、読取部９０により読み取られるべきＩＤカード等の記録媒体９２として、例えば、店長権限カード、通常の店員用カードおよびテナント用カードを用いた場合において、店長権限カードに係る取引の占有状態期間中に通常の店員用カードやテナント用カードが読取部９０に通されたときには、通常の店員やテナント１２０の店員により投入部１２、５２に投入された貨幣は筐体１ａの内部に繰り出されてリジェクト部２８、６２に送られる。一方、通常の店員用カードやテナント用カードに係る取引の占有状態期間中に店長権限カードが読取部９０に通されたときには、店長により投入部１２、５２に投入された貨幣は当該投入部１２、５２から筐体１ａの内部に繰り出されることなく投入部１２、５２に残留し、通常の店員用カードやテナント用カードに係る取引の占有状態が強制的に終了した後に投入部１２、５２に残留している貨幣が収納部に送られる。
【００９４】
また、貨幣入金機１において、図８乃至図１１に示すフローチャートにおける「占有状態期間」が設定される取引は貨幣の入金処理に限定されることはない。貨幣入金機１において貨幣の入金処理ではなく計数処理が行われる場合でも、図８乃至図１１に示すフローチャートにおける「占有状態期間」と同様の、計数処理の取引に係る占有状態期間が設定されるようになっていてもよい。この場合、本体制御部８０は、第１の操作者のＩＤカード等の記録媒体９２に記録された情報が読取部９０により読み取られることによって第１の取引に係る占有状態開始指令を受け付け、操作表示部８６、８８において貨幣の入金処理ではなく計数処理を行うことが選択された後に、第１の取引に係る占有状態終了指令を受け付けることなく第２の取引に係る占有状態開始指令を受け付けると、第１の取引に係る占有状態を強制的に終了することができるようになる。また、第１の取引に係る占有状態が強制的に終了すると、貨幣入金機１により計数処理が行われた第１の操作者に係る貨幣の情報（具体的には、計数された貨幣の金種毎の枚数や合計金額に係る情報）が印字部８４により強制的にレシートに印字されるようになっていてもよい。
【００９５】
また、更なる変形例に係る貨幣入金機１において、リジェクト部２８、６２に集積されたリジェクト貨幣を当該貨幣入金機１の筐体１ａの内部に取り込んで保管する機能が設けられていてもよい。この場合には、リジェクト部２８、６２に置き忘れられたリジェクト貨幣を筐体１ａの内部に取り込んで、このリジェクト貨幣の所有者（例えば、第１の操作者）がリジェクト貨幣の返却を求めた際に係員操作によってリジェクト貨幣を返却することができるようになる。さらに、筐体１ａの内部に取り込まれたリジェクト貨幣を返却する機能を追加的に設けてもよく、この場合には、第１の操作者のＩＤカードが読取部９０により読み取られたときに、リジェクト貨幣を自動で筐体１ａの外部に返却することが可能となる。
【００９６】
また、本発明による貨幣処理装置は、図３乃至図７に示すような、貨幣の入金処理や計数処理を行う貨幣入金機１に限定されることはない。本発明による貨幣処理装置として、貨幣の入金処理および出金処理をそれぞれ行うことができる貨幣入出金機が用いられてもよい。この場合、ある操作者の取引に係る占有状態期間中に、当該操作者が貨幣入出金機において釣銭準備金としての貨幣の出金処理を行うことができるようになっていてもよい。
【符号の説明】
【００９７】
１      貨幣入金機
１ａ    筐体
１ｂ    扉
１ｃ    扉
１０    硬貨入金装置
１２    投入部
１２ａ  シャッタ
１４    搬送部
１４ａ  搬送ベルト
１４ｂ  プーリ
１４ｃ  プーリ
１６    識別部
１８    振分機構
２０    開口
２２    一時保留用シュート
２４    リジェクト用シュート
２６    一時保留部
２８    リジェクト部
３０    硬貨返却箱
３０ａ  把持部分
３１    ロック部
３２    収納用シュート
４０    硬貨収納カセット
５０    紙幣入金装置
５２    投入部
５２ａ  シャッタ
５４    繰出機構
５６    搬送部
５８    識別部
６０    分岐部
６２    リジェクト部
６４    一時保留部
６５    扉ロック部
７０    紙幣収納カセット
８０    本体制御部
８１    硬貨制御部
８２    紙幣制御部
８４    印字部
８６    操作表示部
８８    操作表示部
９０    読取部
９２    記録媒体
９２ａ  記憶部
９４    記憶部
９８    通信インターフェース部
１００  商業施設
１０１  売場領域
１０２  商品棚
１０４  レジカウンター
１０６  貨幣釣銭機
１１０  出納室
１２０  テナント
２００  営業所
２０２  自動販売機
２０４  トラック
【図１】
2016081085.tif 000003
【図２】
2016081085.tif 000004
【図３】
2016081085.tif 000005
【図４】
2016081085.tif 000006
【図５】
2016081085.tif 000007
【図６】
2016081085.tif 000008
【図７】
2016081085.tif 000009
【図８】
2016081085.tif 000010
【図９】
2016081085.tif 000011
【図１０】
2016081085.tif 000012
【図１１】
2016081085.tif 000013
【図１２】
2016081085.tif 000014